(57)【要約】      （修正有）【課題】互いに摺り合わせ可能な動刃と静刃並びに動刃ハンドルと静刃ハンドルとを軸支部において開閉可能に連結した理美容はさみにおいて、理美容はさみ自体に指輪的効果を付与することによって、理容師、美容師に満足感を与えるとともに、顧客に対する訴求性をも付与した理美容はさみを提供する。【解決手段】理美容はさみの静刃ハンドル４の指リング４ａの外側面に飾り部７を設けることにより指輪を嵌めている外観を与える。飾り部は台座部分８とこの台座部分に設けた装飾物９で構成してもよく、装飾物を台座部分から取外し可能に設けることもできる。【選択図】図１
0003167987.tif 000002
【実用新案登録請求の範囲】
【請求項１】
互いに摺り合わせ可能な動刃と静刃並びに動刃ハンドルと静刃ハンドルとを軸支部において開閉可能に連結した理美容はさみにおいて、静刃ハンドルの指リング外側面に飾り部を設けてなる理美容はさみ。
【請求項２】
飾り部が静刃ハンドルの指リング外側面に設けられた台座部分とこの台座部分に設けられた装飾物とからなる請求項1記載の理美容はさみ。
【請求項３】
装飾物が台座部分から取外し可能に設けられている請求項２記載の理美容はさみ。
【請求項４】
装飾物が天然石、合成石、人造石、あるいは模造石で構成されている請求項２又は３
記載の理美容はさみ。
【考案の詳細な説明】
【技術分野】
【０００１】
この考案は理美容はさみに関するもので、特に理容師や美容師などが使用する業務用の理美容はさみに関するものである。
【背景技術】
【０００２】
理美容はさみは、互いに摺り合わせ可能な動刃と静刃並びに動刃ハンドルと静刃ハンドルとを軸支部において開閉可能に連結した構造で、静刃ハンドルの下端部には指掛けが設けられているのが通常である。
理美容はさみの改良は、主として機能面の改良に重点がおかれており、各種の提案がなされている。例えば特許文献１では、はさみを逆手に握った状態で使用することができるはさみを提供している。また、特許文献２では、使用目的に応じた複数の切れ味を有する理美容はさみを提供している。さらにまた、特許文献３では、髪の生え際付近の処理を円滑に行える理美容はさみを提供している。
【先行技術文献】
【特許文献】
【０００３】
【特許文献１】特開2009-160375号公報
【特許文献２】実用新案登録第3047242号公報
【特許文献３】実用新案登録第3062698号公報
【考案の概要】
【考案が解決しようとする課題】
【０００４】
理美容はさみを扱う理容師、美容師が顧客に求められるところは、そのカットの技術が優れていること、また、ヘアースタイルについての知識が豊富であることなどがあげられるが、清潔感、ファッション性なども顧客が理容師、美容師を選択する際の一要素となっている。
ところで、理容師、美容師がファッションの一つとして好みの指輪をしている場合であっても、理美容はさみを使用する場合には指輪を外さなければならず、何らの装飾物のない、いわば生の指先で理美容はさみを使用しなければならず、指輪を着用することに慣れている理容師、美容師にとっては何となくものたらなさや、違和感を覚えることになる。
そこで、この考案では、理美容はさみ自体に指輪的効果を付与することによって、理容師、美容師に満足感を与えるとともに、顧客に対する訴求性をも付与した理美容はさみを提供することを目的としている。
【課題を解決するための手段】
【０００５】
上記目的を達成するため、この考案においては、互いに摺り合わせ可能な動刃と静刃並びに動刃ハンドルと静刃ハンドルとを軸支部において開閉可能に連結した理美容はさみにおいて、静刃ハンドルの指リング外側面に飾り部を設けたことを特徴とするものである。
すなわち、静刃ハンドルの指リング外側面に飾り部を設けておけば、理美容はさみを使用する際、理容師、美容師がはさみを持つ際、静刃ハンドルの指リングに薬指を挿入すると、恰も指輪を嵌めているようになり、理容師、美容師自身も楽しめるのは勿論、顧客においてもその意外性、趣向に興味を抱き、顧客吸引力の一つとして機能するものである。
飾り部は静刃ハンドルの指リング外側面に直接ロウ付けなどにより固着しても良いが、指輪に見られる台座部分を固着し、この台座部分に装飾物を取り付ける構成とすれば、さらに指輪に似た外観を呈することになる。
【０００６】
装飾物は台座部分に固着してもよいが、ネジ嵌合、接着、粘着などによって取外し可能に設けておけば、異なる装飾物と取り替えることができ、さらに趣向を持たせることができる。
装飾物としては、天然石、合成石、人造石、あるいは模造石で構成すると指輪としての趣が向上する。この場合、石の素材、大きさに応じて、単数から複数個まで指輪と同様な用い方をすれば良い。
【考案の効果】
【０００７】
この考案に係る理美容はさみは、静刃ハンドルの指リング外側面に飾り部を設けることにより、理容師、美容師がはさみを使用する際、恰も指輪を嵌めているような外観を呈するものであり、理容師、美容師の趣味感を満足させ得るのは勿論、顧客においてもその意外性に興味を抱き、顧客吸引力の一翼を担う効果を期待し得るものである。
【図面の簡単な説明】
【０００８】
【図１】本考案に係る理美容はさみの一例を示す斜視図
【図２】同理美容はさみの部分拡大斜視図
【図３】同理美容はさみの使用状態を示す部分拡大斜視図
【考案を実施するための形態】
【０００９】
図１は、本考案に係る理美容はさみの一例を示す斜視図で、互いに摺り合わせ可能な動刃１と静刃２並びに動刃ハンドル３と静刃ハンドル４とを軸支部５において開閉可能に連結した理美容はさみであり、静刃ハンドル４の下端部には小指掛け６が設けられている。この例では、王冠形をしており、人造石などをあしらって装飾感を持たせている。
【００１０】
静刃ハンドル４の指リング４ａ外側面には飾り部７が設けられている。この例では、通常の指輪と同様に台座部分８に装飾物９を取り付けた飾り部７を、静刃ハンドル４の指リング４ａ外側面に台座部分８においてロウ付けなどによって固着したものである。
装飾物９は、台座部分８に対してネジ止め、接着、粘着などにより取外し可能に設けることも可能であり、この場合は、装飾物９を取り替えることができる利点を有する。
装飾物９としては、天然石、合成石、人造石、あるいは模造石を用いれば、趣味感を大いに発揮することができ、顧客の注意も惹きやすくなる。石の素材、大きさに応じて、単数から複数個まで指輪と同様な用い方をすれば良く、この例では、粒状の人造石を複数個あしらった装飾物としている。
【００１１】
図３はこのような理美容はさみの使用状態を示すもので、親指を動刃ハンドル３の指リング３ａに挿入し、静刃ハンドル４の指リング４ａに薬指を挿入し、小指掛け６に小指を掛けて理美容はさみを把持している状態を示している。
図示の通り、薬指を挿入した指リング４ａの外側面に設けられた飾り部７が恰も指輪のような外観を呈するもので、理容師、美容師の趣味感を満足させるとともに、顧客の注意も喚起し、顧客吸引力の一翼を担う効果も期し得るものである。
【符号の説明】
【００１２】
１  動刃
２  静刃
３  動刃ハンドル
３ａ  指リング  
４  静刃ハンドル
４ａ  指リング
５  軸支部
６  小指掛け
７  飾り部
８  台座部分
９  装飾物
【図１】
0003167987.tif 000003
【図２】
0003167987.tif 000004
【図３】
0003167987.tif 000005